(57)【要約】【課題】  収納物の重量が増えても昇降に要する力を小さく維持できる低コストの手動昇降式の床下収納装置を提供することにある。【解決手段】  床３に形成した開口部３１下方の床下空間３２に、手動で上下方向に昇降する収納庫１を収容した床下収納装置であって、床下空間または床上に定滑車４を取り付け、定滑車４の一方側に収納庫１をつるべ式に懸垂し、定滑車４の他方側に重りＷを取り付け、この重りＷを、収納物２，２ａを収納した収納庫１の総重量と略平衡させてなることを特徴とする。【選択図】  図１
2005120790.tif 000002
【特許請求の範囲】
【請求項１】
床に形成した開口部下方の床下空間に、手動で上下方向に昇降する収納庫を収容した床下収納装置であって、床下空間または床上に定滑車を取り付け、定滑車の一方側に収納庫をつるべ式に懸垂し、定滑車の他方側に重りを取り付け、この重りを、収納物を収納した収納庫の総重量と略平衡させてなることを特徴とする床下収納装置。
【請求項２】
床に形成した開口部下方の床下空間に、手動で上下方向に昇降する収納庫を収容した床下収納装置であって、床下空間に定滑車を取り付け、定滑車の一方側に収納庫をつるべ式に懸垂し、定滑車の他方側に上下動する動滑車を並べて吊るし、この動滑車に重りを取り付け、この重りを、最大積載負荷の収納物を収納した収納庫の総重量と略平衡させてなることを特徴とする床下収納装置。
【請求項３】
床に形成した開口部下方の床下空間に、手動で上下方向に昇降する収納庫を収容した床下収納装置であって、床下空間または床上には、定滑車と、上下動する動滑車と、長手方向に沿って重りを移動可能に取り付けた長尺の重りの取付台と、取付台を水平方向に移動自在に支持する台車とを備え、定滑車の一方側に収納庫をつるべ式に懸垂し、定滑車の他方側に動滑車を並べて吊るし、動滑車を取付台の長手方向の一側ないし中間部に取り付け、前記取付台の他側を台車に回転自在にピン結合し、重りの取付位置を調節して収納庫の総重量と平衡させてなることを特徴とする床下収納装置。
【発明の詳細な説明】
【技術分野】
【０００１】
本発明は、手動で昇降する床下収納装置に関する。
【背景技術】
【０００２】
従来、特許文献１には、床板に開閉可能な出入口を開設し、該出入口の直下の床下面上に昇降台を昇降可能に設け、昇降台には操作レバーを連接し、操作レバーにはガススプリング等の付勢部材を連結し、昇降台上に収納箱を載設し、操作レバーの起伏操作により、収納箱を床板より出没自在に昇降出来るようにした手動型昇降式床下収納装置が記載されている。
また、特許文献２には、ラック付きの支持柱と、この支持柱に保持された昇降台から延設された収納箱受枠と、前記ラックに噛合し電動モーターにて駆動するピニオンギヤとを備えた床下収納装置用収納箱昇降機構が記載されている。
さらにまた、特許文献３には、人力、電力の作用を用いて、油圧、空圧ポンプを作動させ、ジャッキ、昇降移動腕を介して、庫底部枠を上下に移動させるように構成した床下収納庫が記載されている。
【特許文献１】特許第３０１６０５０号公報
【特許文献２】特開平１０−０６１１６３号公報
【特許文献３】特開平０５−０９６２９６号公報
【発明の開示】
【発明が解決しようとする課題】
【０００３】
上記特許文献１記載のような従来技術にあっては、床下空間に配設される収納箱を動力装置に依存せずに、操作レバーの梃作用を利用して比較的小さな力で床上空間まで上昇させることができる。しかしながら、収納箱に収納される収納物の重量が増えると、操作レバーの操作に大きな力を要し、女性や高齢者のような力のない人が操作する場合、負担が大きいという問題があった。
上記特許文献２，３記載のような従来技術にあっては、昇降台の昇降が電動モーターや油圧、空圧ポンプのような動力装置に依存するので、コスト増を招くばかりでなく、動力装置の故障時には、使用不能になるという問題があった。
【０００４】
本発明の課題は、収納物の重量が増えても昇降に要する力を小さく維持できる低コストの手動昇降式の床下収納装置を提供することにある。
【課題を解決するための手段】
【０００５】
請求項１記載の発明は、床に形成した開口部下方の床下空間に、手動で上下方向に昇降する収納庫を収容した床下収納装置であって、床下空間または床上に定滑車を取り付け、定滑車の一方側に収納庫をつるべ式に懸垂し、定滑車の他方側に重りを取り付け、この重りを、収納物を収納した収納庫の総重量と略平衡させてなることを特徴とする。
【０００６】
請求項２記載の発明は、床に形成した開口部下方の床下空間に、手動で上下方向に昇降する収納庫を収容した床下収納装置であって、床下空間に定滑車を取り付け、定滑車の一方側に収納庫をつるべ式に懸垂し、定滑車の他方側に上下動する動滑車を並べて吊るし、この動滑車に重りを取り付け、この重りを、最大積載負荷の収納物を収納した収納庫の総重量と略平衡させてなることを特徴とする。
【０００７】
請求項３記載の発明は、床に形成した開口部下方の床下空間に、手動で上下方向に昇降する収納庫を収容した床下収納装置であって、床下空間または床上には、定滑車と、上下動する動滑車と、長手方向に沿って重りを移動可能に取り付けた長尺の重りの取付台と、取付台を水平方向に移動自在に支持する台車とを備え、定滑車の一方側に収納庫をつるべ式に懸垂し、定滑車の他方側に動滑車を並べて吊るし、動滑車を取付台の長手方向の一側ないし中間部に取り付け、前記取付台の他側を台車に回転自在にピン結合し、重りの取付位置を調節して収納庫の総重量と平衡させてなることを特徴とする。
【０００８】
上記請求項１〜３記載の発明において、収納庫を手動で上下方向に昇降させるには、例えば、収納庫の背面または側面にラックとピニオン式の昇降手段を設け、このピニオンに介在させたウォーム歯車などを手動で回転させ、昇降させるようにしてもよい。
【０００９】
なお、上記請求項３記載の発明においては、上記のような手動式の昇降手段を設けなくても重りの設置位置の調整によって収納庫を昇降させることができる。すなわち、収納庫が上昇した位置で重りの取付台が水平状態になるようにしておく。そこで、重りの設置位置を平衡位置から台車側に移動すると、バランスが崩れて動滑車が持ち上がって取付台が傾斜し、収納庫が降下する。降下した状態から収納庫を上昇させるには、傾斜した取付台を重りが登る方向に逆移動させると、バランスが崩れて動滑車が下方に降りて取付台が水平になり、収納庫が上昇する。
【００１０】
上記請求項３記載の発明において、収納庫が床上に上昇した位置で重りの設置台が略水平状態となるように、動滑車を吊るすのがよい。設置台が略水平状態であると、重りを軽い力で手動により移動でき、収納庫の総重量と平衡させるのが容易となる。
【００１１】
また、上記請求項１〜３記載の発明において、収納庫を床上に上昇させ収納物の出し入れを行うときには、収納庫の降下を防止するロック機構を設けるとよい。このようにすると、収納物の出し入れを安全にできる。また、収納庫の側面に開閉式の扉を設けておけば、収納物の出し入れに便利であるともに、扉を閉めないと降下しないので、安全性もよい。
【発明の効果】
【００１２】
請求項１記載の発明によると、定滑車の一方側に収納庫をつるべ式に懸垂し、定滑車の他方側に重りを取り付け、この重りを、収納物を収納した収納庫の総重量と略平衡させるようにしたので、収納物の重量変動に対応して重りの重量を変動させれば、昇降に要する力をいつも最小にでき、極めて小さな力で昇降できる。しかも、定滑車と重りだけで構成した簡単な手動昇降式であるから、床下収納装置を低コストで実現できる。
【００１３】
請求項２記載の発明によると、定滑車の一方側に収納庫をつるべ式に懸垂し、定滑車の他方側に上下動する動滑車を並べて吊るし、この動滑車に重りを取り付け、この重りを最大積載負荷の収納物を収納した収納庫の総重量と略平衡させるので、最大積載負荷の収納物を収納したときには、昇降に要する力を最小にでき、極めて小さな力で昇降できる。また、収納物の重量が最大積載負荷より小のときには、重りとの平衡は崩れるが、一方で収納庫の総重量も小となるため、昇降に要する力はその分減少し比較的小さな力で昇降できる。しかも、定滑車と動滑車と重りだけで構成した簡単な手動昇降式であるから、床下収納装置を低コストで実現でき、これらを床下に取り付けたので、床上を広く使用できる。
【００１４】
請求項３記載の発明によると、定滑車の一方側に収納庫をつるべ式に懸垂し、定滑車の他方側に上下動する動滑車を並べて吊るした。そして、動滑車を重りの取付台の長手方向の一側ないし中間部に取り付け、前記取付台の他側を台車に回転自在にピン結合し、重りの取付位置を調節して収納庫の総重量と平衡させるようにした。これによって、昇降に要する力を常に最小にでき、極めて小さな力で昇降できる。そして、動力装置に依存しない手動昇降式であるから、比較的低コストで実現できる。
【発明を実施するための最良の形態】
【００１５】
（実施の形態１）
図１は、本発明の床下収納装置の一実施形態であって、（ａ）は収納庫が降下した状態を示す説明図、（ｂ）は収納庫が床上に上昇した状態を示す説明図である。図において、１は収納庫、２，２ａは収納物、３は床、４は定滑車である。
【００１６】
図１（ａ）において、床３には平面視四角形の開口部３１が形成されている。本実施の形態１の床下収納装置は、この開口部３１下方の床下空間に、手動で上下方向に昇降する収納庫１を収容したものであって、床上に定滑車４，４を並べて取り付け、定滑車４の一方側に収納庫１をロープ４１によってつるべ式に懸垂し、定滑車４の他方側に重りＷを取り付け、この重りＷを、収納物２を収納した収納庫１の総重量と略平衡させるようにしたものである。
【００１７】
図１（ｂ）に示すように、上記収納庫１をロープ４１によって床上に引き上げ、別の収納物２ａを追加して収納したときには、追加した収納物２ａの重量に対応する新たな重りｗを加え、重り（Ｗ＋ｗ）として収納庫１の総重量と略平衡させるようにした。
【００１８】
本実施の形態１の床下収納装置によると、定滑車４の一方側に収納庫１をつるべ式に懸垂し、定滑車４の他方側に重りＷを取り付け、この重りＷを、収納物２を収納した収納庫１の総重量と略平衡させるようにした。そして、収納物２ａを追加したときには、重量変動に対応して重りＷに新たな重りｗを加え、重り（Ｗ＋ｗ）として収納庫１の総重量と略平衡させるようしたので、昇降に要する力をいつも最小にでき、極めて小さな力で昇降できる。しかも、定滑車４と重りＷ，ｗだけで構成した簡単な手動昇降式であるから、床下収納装置を低コストで実現できる。
【００１９】
（実施の形態２）
図２は、本発明の床下収納装置の別の実施形態であって、（ａ）は収納庫が降下した状態を示す説明図、（ｂ）は収納庫が床上に上昇した状態を示す説明図である。以下の実施の形態において、前記実施の形態１と本質的に同じものには同符号を付けて説明を省略し、異なるものだけ別符号を付けて説明する。
【００２０】
本実施の形態２の床下収納装置は、床３に形成した開口部３１下方の床下空間３２に、手動で上下方向に昇降する収納庫１を収容したものである。床下空間３２には、定滑車４を取り付け、定滑車４の一方側に収納庫１の架台１２をつるべ式に懸垂し、定滑車４の他方側に上下動する動滑車５を並べて吊るした。この動滑車５には、重りＷを取り付け、この重りＷを、最大積載負荷の収納物を収納した収納庫１の総重量と略平衡させてなるようにした。
【００２１】
本実施の形態２では、収納庫１は、収納庫本体１１と、この収納庫本体を載置する架台１２とから構成し、収納庫本体１１には、手動式の昇降手段６を設けて収納庫１を昇降させた。この昇降手段６としては、収納庫本体１１の背面または側面にラックとピニオン式の昇降手段を設け、このピニオンに介在させたウォーム歯車などをハンドル式の手動で回転させ、昇降させるようにした。このような昇降手段としては、後述の実施の形態３で詳しく説明するので、ここでは説明を省略する。
【００２２】
本実施の形態２によると、定滑車４の一方側に収納庫１をつるべ式に懸垂し、定滑車４の他方側に上下動する動滑車５を並べて吊るし、この動滑車５に重りＷを取り付け、この重りＷを、最大積載負荷の収納物を収納した収納庫１の総重量と略平衡させたので、最大積載負荷の収納物を収納したときには、昇降に要する力を最小にでき、極めて小さな力で昇降できる。また、収納物の重量が最大積載負荷より小のときには、重りとの平衡は崩れるが、一方で収納庫１の総重量も小となるため、昇降に要する力はその分減少し比較的小さな力で昇降できる。しかも、定滑車４と動滑車５と重りＷだけで主要部を構成した簡単な手動昇降式であるから、床下収納装置を低コストで実現でき、これらを床下空間３２に取り付けたので、床上を広く使用できる。
【００２３】
（実施の形態３）
図３〜図１２は、本発明の他の実施の形態であって、図３（ａ）は収納庫が床上に上昇した状態を示す説明図、（ｂ）は収納庫が床下に降下した状態を示す説明図である。図４は、重りの取付台に作用する反力の調整方法を示す説明図であって、（ａ）は水平時、（ｂ）は傾斜時を示す。
【００２４】
図５は、動滑車の取付位置を変更した図３の変形例であって、収納庫が床上に上昇した状態を示す説明図である。図６は、図５における重りの取付台に作用する反力の調整方法を示す説明図である。図７は、架台の斜視図であり、図８（ａ）は収納庫を床下に収容した床下収納装置の説明図であり、（ｂ）は収納庫を床上に上昇させたときの床下収納装置の説明図である。図９は、収納庫の昇降手段の説明図であり、図１０は重りの移動手段を示す説明図である。図１１は、収納庫のロック機構の説明図であり、図１２は収納庫本体と床の開口部とのガタツキ防止の説明図である。
【００２５】
本実施の形態３は、これまでの実施の形態１，２と同様、床３に形成した開口部３１下方の床下空間３２に、手動で上下方向に昇降する収納庫１を収容した床下収納装置であって、図３に示すように、床下空間３２または床上には、定滑車４と、上下動する動滑車５と、長手方向に沿って重りＷを移動可能に取り付けた長尺の重りＷの取付台７と、取付台７を水平方向に移動自在に支持する台車９とを備えている。上記定滑車４の一方側には、収納庫１をつるべ式に懸垂し、定滑車４の他方側に動滑車５を並べて吊るし、動滑車５を取付台７の長手方向の一側に取り付け、取付台７の他側を台車９に回転自在にピン結合している。上記台車９はレール９１に案内されて移動する。
【００２６】
上記取付台７の重りＷは、その取付位置を調節して収納庫１の総重量と平衡させるようにしている。この際、図３（ａ）に示すように、収納庫１が床上に上昇した位置で重りＷの取付台７が略水平状態となるように調整している。取付台７が略水平状態であると、重りＷを軽い力で手動により移動でき、収納庫１の総重量と平衡させるのが容易となる。そして、図３（ｂ）に示すように、収納庫１を床下空間に降下させると、動滑車５と共に取付台７の一側が持ち上がって傾斜状態となる。このとき、台車９はレール９１の上を水平移動する。
【００２７】
図４に示すように、重りの取付台７の一側には、収納庫１の総重量に対応した反力Ｐが作用するが、この反力Ｐは重りＷの取付位置の調節によって下記の式にて平衡状態となる。
水平状態では、Ｐ・ａ＝Ｗ・ｂ        （図４（ａ）参照）
傾斜状態では、Ｐ・ａ1 ＝Ｗ・ｂ1     （図４（ｂ）参照）
上記において、ａ，ａ1 ，ｂ，ｂ1 は、いずれも、支点（台車９）から各作用点までの距離であるが、図３に示したように、動滑車５が取付台７の一端部に取り付けられているため、距離ｂは距離ａより小となり、重りＷは収納庫の総重量より大にしなければならない。
【００２８】
そこで、図５に示す変形例では、動滑車５を取付台７の中間部に取り付けるようにした。この場合も、図６に示すように、反力Ｐと重りＷは、Ｐ・ａ＝Ｗ・ｂにて平衡するが、この際、距離ｂを距離ａより大にできるので、重りＷは収納庫１の総重量より小にでき、装置を軽量化できる。
【００２９】
つぎに、図７〜図１２を参照して、本実施の形態３の床下収納装置の各構成について詳細に説明する。
【００３０】
収納庫１は、収納庫本体１１と、収納庫本体１１を載置する架台１２とから構成している。架台１２は、図７に示すように、一方側を片持ち方式で垂直ガイドレール（不図示）に支持して取り付られるもので、収納庫本体１１を設置可能な大きさの水平板１２１と、水平板１２１の一側から下方に垂れ下がる垂直板１２２とからなり、垂直板１２２の略中央部にはロープ受け１２５を設け、前記定滑車４から垂れ下がるロープ４１を結束できるようにしている。また、垂直板１２２の左右両側の下端部からは、アーム１２３を水平板１２１と反対方向に突出させ、このアーム１２３に左右一対のガイドローラー１２４を設けている。このガイドローラー１２４は、垂直ガイドレール（不図示）に嵌め込まれ、架台１２を上下方向に昇降させる。
【００３１】
収納庫本体１１は、図８に示すように、正面に両開き式の扉１１１を設けた箱状体になされ、収納庫１が開口部３１下方の床下空間に収容された状態（図８の（ａ）参照）では、収納庫本体１１の上面が床面と面一になるようにされている。収納庫１の正面側の床３には、操作盤１３が設けられ、収納庫１の側面には、ロックハンドル１５が設けられている。操作盤１３には、重り移動用ハンドル受け１３１と、収納庫１の昇降用ハンドル受け１３２と、負荷指標窓１３３とが設けられている。操作盤１３には、共用ハンドル１４を備え付けるようにしている。
【００３２】
図９に示すように、本実施の形態３の床下収納装置には、収納庫１を手動で上下方向に昇降させるラックとピニオン式の昇降手段６を設けている。前記架台１２の垂直板１２２には、ラック６１が垂直方向に取り付けられ、このラック６１にはピニオン６２が噛合されている。そして、ピニオン６２と同軸上にウォームホイール６３を設け、このウォームホイール６３にウォームギヤー６４を噛合している。そして、ウォームギヤー６４は、床面に設けた操作盤１３の昇降用ハンドル受け１３２と一体の回転軸６５に取り付けられている。
【００３３】
上記の昇降手段６において、ウォームホイール６３とウォームギヤー６４との間に遊びを設け、図９に示すように、ウォームギヤー６４の横に前記ウォームの遊びによって左右に振れる指標６を取り付けている。このため、床面の操作盤１３に設けた負荷指標窓１３３から指標６の振れを覗くと、どちらに負荷がかかっているかが判るので、ハンドル１４でどちらの側に廻すと調整できるかの指標になる。
【００３４】
図１０に示すように、本実施の形態３の床下収納装置には、重りＷを主動で移動させる移動手段８を設けている。この移動手段８は、ラック８１と、ピニオン８２と、チェーン駆動する一対のチェーンホイール８３，８４と、ウォームホイール８５，ウォームギヤー８６と、回転軸８７とから構成されている。上記ラック８１を取付台７に取り付け、ピニオンを重りＷに取り付けてラック８１と噛み合わせる。そして、回転軸８７の上端を床面の操作盤１３に設けた重り移動用ハンドル受け１３１と一体に取り付け、共用のハンドル１４で回転軸８７を廻すと、重りＷを取付台７の左右方向に移動させることができる。
【００３５】
また、図１１に示すように、本実施の形態３の床下収納装置には、収納庫１の降下を防止するロック機構を設け、収納物の出し入れを安全にできるようにしている。ロック機構は、ロックハンドル１５と、ピン１６とからなり、床３の開口部の縁には床垂れ壁３３が設けられ、この床垂れ壁３３にはピン孔３４が形成されている。上記ピン１６は、収納庫本体１１の側から床垂れ壁３３のピン孔３４に向かってロックハンドル１５を倒して挿入され、ピン１６の外周に嵌め込まれたコイルバネ１６１を圧縮してロック掛け具１５１をロックハンドル１５に引っ掛けてロックするようになっている。収納物の重量変動によって、前記昇降手段６の遊び分がずれると、ピン１６とピン孔３４とが噛み込むので、ロックハンドル１５を解除してもピン１６が外れず、セルフロック機能を奏して安全である。なお、噛み込んだピン１６を外すには、重りＷを平衡位置に移動させればよい。
【００３６】
また、図１２に示すように、本実施の形態３の床下収納装置には、床３の開口部３１の縁部にガスケット１７を取り付け、収納本体１１の上面板１１１の縁部から枠材１１２を突出させて設けている。そこで、前記昇降手段６で収納庫１を下方に降下させると、枠材１１２によってガスケット１７を押し付けてガタツキを防止できるようにしている。また、気密性もよくなるので、床下からの湿気等の浸入を防止できる。
【００３７】
上気したように、本実施の形態３の床下収納装置によると、定滑車４の一方側に収納庫１をつるべ式に懸垂し、定滑車４の他方側に上下動する動滑車５を並べて吊るした。そして、動滑車５を重りＷの取付台７の長手方向の一側ないし中間部に取り付け、この取付台７の他側を台車９に回転自在にピン結合し、重りＷの取付位置を調節して収納庫１の総重量と平衡させるようにした。これによって、昇降に要する力を常に最小にでき、極めて小さな力で昇降できる。そして、動力装置に依存しない手動昇降式であるから、比較的低コストで実現できる。
【００３８】
以上、本発明の実施の形態を図面により詳述したが、本発明の具体的な構成はこの実施の形態に限られるものではなく、本発明の要旨を逸脱しない範囲の設計の変更等があっても本発明に含まれる。
【産業上の利用可能性】
【００３９】
収納庫を小さい力で昇降できるので、高齢者や力の弱い女性でも床下空間の利用勝手のよい建物となる。
【図面の簡単な説明】
【００４０】
【図１】本発明の床下収納装置の一実施形態であって、（ａ）は収納庫が降下した状態を示す説明図、（ｂ）は収納庫が床上に上昇した状態を示す説明図である。
【図２】本発明の床下収納装置の別の実施形態であって、（ａ）は収納庫が降下した状態を示す説明図、（ｂ）は収納庫が床上に上昇した状態を示す説明図である。
【図３】本発明の他の実施の形態であって、（ａ）は収納庫が床上に上昇した状態を示す説明図、（ｂ）は収納庫が床下に降下した状態を示す説明図である。
【図４】重りの取付台に作用する反力の調整方法を示す説明図であって、（ａ）は水平時、（ｂ）は傾斜時を示す。
【図５】動滑車の取付位置を変更した図３の変形例であって、収納庫が床上に上昇した状態を示す説明図である。
【図６】図５における重りの取付台に作用する反力の調整方法を示す説明図である。
【図７】架台の斜視図である。
【図８】（ａ）は収納庫を床下に収容した床下収納装置の説明図であり、（ｂ）は収納庫を床上に上昇させたときの床下収納装置の説明図である。
【図９】収納庫の昇降手段の説明図である。
【図１０】重りの移動手段を示す説明図である。
【図１１】収納庫のロック機構の説明図である。
【図１２】収納庫本体と床の開口部とのガタツキ防止の説明図である。
【符号の説明】
【００４１】
１  収納庫
２，２ａ  収納物
３  床
３１  開口部
３２  床下空間
４  定滑車
５  動滑車
７  重りの取付台
９  台車
Ｗ  重り
【図１】
2005120790.tif 000003
【図２】
2005120790.tif 000004
【図３】
2005120790.tif 000005
【図４】
2005120790.tif 000006
【図５】
2005120790.tif 000007
【図６】
2005120790.tif 000008
【図７】
2005120790.tif 000009
【図８】
2005120790.tif 000010
【図９】
2005120790.tif 000011
【図１０】
2005120790.tif 000012
【図１１】
2005120790.tif 000013
【図１２】
2005120790.tif 000014